(57)【要約】【課題】壁体を構成する枠材に通気用の切り欠きが設けられ、この切り欠き部に筋交いが固定された壁構造を提供すること。【解決手段】面材１１と面材１２との間に枠組みされた枠材１４が設けられてなる壁構造１であって、前記枠材１４に通気用の切り欠き１４１が設けられ、この切り欠き１４１部に補強用の筋交い１８が固定されている。【選択図】図１
2004150199.tif 000002
【特許請求の範囲】
【請求項１】
面材と面材との間に枠組みされた枠材が設けられてなる壁構造であって、前記枠材に通気用の切り欠きが設けられ、この切り欠き部に補強用の筋交いが固定されていることを特徴とする壁構造。
【請求項２】
面材と面材との間に枠組みされた枠材が設けられてなる壁構造であって、前記枠材の縦枠及び横枠の交差部に通気用の切り欠きが設けられ、この切り欠き部に補強用の筋交いが固定されていることを特徴とする壁構造。
【請求項３】
面材と面材との間に枠組みされた枠材が設けられてなる壁構造であって、前記枠材の開口部周辺の縦枠及び横枠の交差部に通気用の切り欠きが設けられ、この切り欠き部に補強用の筋交いが固定されていることを特徴とする壁構造。
【発明の詳細な説明】
【０００１】
【発明の属する技術分野】
この発明は、壁体を構成する枠材に通気用の切り欠きが設けられ、この切り欠き部に筋交いが固定された壁構造に関する。
【０００２】
【従来の技術】
従来から、木造建築における軸組構造においては、左右に離隔する本柱と上下に離間して平行する桁部材等と、前記本柱の間に一定間隔で配置された上下端を前記桁部材に嵌合して取り付けられる複数本の間柱と、この間柱と交差し前記本柱の間に斜めに取り付けられる筋交いが知られている。
【０００３】
また、このような筋交いを有する軸組構造において、前記各間柱を筋交いと取り合う部分に筋交い交差嵌入用の切り欠き部を予め加工した間柱部材で構成し、この間柱部材を筋交いの取り付け後に、前記切り欠き部が前記筋交いに嵌入する間柱建ての状態にして固定するようにしたものが知られている。（例えば、特許文献１参照）。
【０００４】
【特許文献１】
特開平１０−２１２７７５号公報
【０００５】
【発明が解決しようとする課題】
しかしながら、前記従来の軸組構造及び特許文献１の筋交いにおいては、切り欠きは間柱と筋交いとの干渉を防いだ納まりの為だけであり、壁構造における通気層のための枠材の切り欠きを利用して筋交いを固定するものとは異なる。
【０００６】
そこで、本発明は、壁体を構成する枠材に通気用の切り欠きが設けられ、この切り欠き部に筋交いが固定された壁構造を提供することを目的とする。
【０００７】
【課題を解決するための手段】
前記課題を解決するため、請求項１記載の発明は、面材と面材との間に枠組みされた枠材が設けられてなる壁構造であって、前記枠材に通気用の切り欠きが設けられ、この切り欠き部に補強用の筋交いが固定されていることを特徴とする壁構造である。
【０００８】
このように構成した請求項１記載の壁構造によれば、面材と面材との間に枠組みされた枠材が設けられてなる壁構造であって、前記枠材に通気用の切り欠きが設けられ、この切り欠き部に補強用の筋交いが固定されているので、別個の取り付け用の金具を使用することなく、また構造用面材と干渉することなく筋交いの取り付けができる。
【０００９】
請求項２記載の発明は、面材と面材との間に枠組みされた枠材が設けられてなる壁構造であって、前記枠材の縦枠及び横枠の交差部に通気用の切り欠きが設けられ、この切り欠き部に補強用の筋交いが固定されていることを特徴とする壁構造である。
【００１０】
このように構成した請求項２記載の壁構造によれば、面材と面材との間に枠組みされた枠材が設けられてなる壁構造であって、前記枠材の縦枠及び横枠の交差部に通気用の切り欠きが設けられ、この切り欠き部に補強用の筋交いが固定されているので、別個の取り付け用の金具を使用することなく、また構造用面材と干渉することなく筋交いの取り付けができる。
【００１１】
請求項３記載の発明は、面材と面材との間に枠組みされた枠材が設けられてなる壁構造であって、前記枠材の開口部周辺の縦枠及び横枠の交差部に通気用の切り欠きが設けられ、この切り欠き部に補強用の筋交いが固定されていることを特徴とする壁構造である。
【００１２】
このように構成した請求項３記載の壁構造によれば、面材と面材との間に枠組みされた枠材が設けられてなる壁構造であって、前記枠材の開口部周辺の縦枠及び横枠の交差部に通気用の切り欠きが設けられ、この切り欠き部に補強用の筋交いが固定されているので、開口部周辺においては、壁体の補強がもともと必要な個所である上、枠材による区画間の通気用切り欠きが存在するので筋交いの取り付けが好都合にできる。
【００１３】
【発明の実施の形態】
以下、本発明の具体的な実施の形態について、図面を参照しつつ説明する。
【００１４】
まず、図１（イ）は、この発明の実施の形態に係る壁構造の断面図、（ロ）は壁構造において筋交いの取り付け構造を示す説明図、（ハ）は図１（イ）のＡ部の通気用の切り欠き部の拡大図、（ニ）は図１（イ）のＢ部の通気用の切り欠き部の拡大図である。
【００１５】
図１において、１は本発明の壁構造、１０は通気層、１１は外面材、１２は内面材、１３は断熱材、１４は枠材、１５は透湿防水シート、１６は上枠材、１７は下枠材、１８及び１９は筋交い、２０および２１は開口部横枠材、２２は開口部を示す。
【００１６】
図１（ロ）に示すように、筋交い１８は３本の縦枠材１４，１４、１４に斜めに跨って、上枠材１６、下枠材１７とで固定されている。そして、図１（ロ）の縦枠材１４と筋交い１８とが交差するＡ部において、拡大して詳細を示す図１（ハ）のように、縦枠材１４の通気用の切り欠き部１４１に筋交い１８が嵌入され釘１８１で固定されている。このように筋交い１８が縦枠材１４の通気用の切り欠き部１４１に固定されているので、通気用としての機能を損なうことなく、特別な取り付け具を必要とせず、また構造用面材を取り付ける際出っ張りがなく干渉することがない。
【００１７】
また、図１（ロ）の横枠材１６及び縦枠材１４と筋交い１８とが交差するＢ部において、拡大して詳細を示す図１（ニ）のように、横枠材１６の通気用の切り欠き部１６１及び縦枠材１４の通気用の切り欠き部１４２に筋交い１８が嵌入され釘１８１で固定されている。このように筋交い１８が横枠材１６及び縦枠材１４の交差する通気用の切り欠き部１６１及び１４２に固定されているので、通気用としての機能を損なうことなく、特別な取り付け具を必要とせず、また構造用面材を取り付ける際出っ張りがなく干渉することがない。
【００１８】
また、図１（ロ）の開口部２２の下側の横枠材２１、下枠材１７及び縦枠材１４、１７，１４に跨って斜めに２本の筋交い１９，１９が固定されている。横枠材２１と縦枠材１７と交差するＣ部及び縦枠材１４と下枠材１７と交差するＤ部において、前記Ａ部、Ｂ部と同様に通気用の切り欠き部に筋交い１９が嵌入され固定されている。これにより、開口部２２周りにおいては、壁構造１の補強が必要な個所であり、また、各枠材１４，１７，２１等の区画間の通気用切り欠きとしてＣ部、Ｄ部等に存在するので筋交い１９，１９を取り付けるのに好都合である。また構造用面材を取り付ける際出っ張りがなく干渉することがない。
【発明の効果】
以上説明してきたように、請求項１記載の発明によれば、面材と面材との間に枠組みされた枠材が設けられてなる壁構造であって、前記枠材に通気用の切り欠きが設けられ、この切り欠き部に補強用の筋交いが固定されているので、別個の取り付け用の金具を使用することなく、また構造用面材と干渉することなく筋交いの取り付けができる。
【００１９】
請求項２記載の壁構造によれば、面材と面材との間に枠組みされた枠材が設けられてなる壁構造であって、前記枠材の縦枠及び横枠の交差部に通気用の切り欠きが設けられ、この切り欠き部に補強用の筋交いが固定されているので、別個の取り付け用の金具を使用することなく、また構造用面材と干渉することなく筋交いの取り付けができる。
【００２０】
請求項３記載の壁構造によれば、面材と面材との間に枠組みされた枠材が設けられてなる壁構造であって、前記枠材の開口部周辺の縦枠及び横枠の交差部に通気用の切り欠きが設けられ、この切り欠き部に補強用の筋交いが固定されているので、開口部周辺においては、壁体の補強がもともと必要な個所である上、枠材による区画間の通気用切り欠きが存在するので筋交いの取り付けが好都合にできる。
【図面の簡単な説明】
【図１】（イ）は本発明の実施の形態に係る壁構造の断面図、（ロ）は壁構造において筋交いの取り付け構造を示す説明図、（ハ）は図１（ロ）のＡ部の拡大図、（二）は図１（ロ）のＢ部の拡大図である。
【符号の説明】
１        壁構造
１０  通気層
１１，１２    面材
１３    断熱材
１４    （縦）枠材
１４１，１４２  通気用の切り欠き部
１５    透湿防水シート
１６，１７    横枠材
１６１    通気用の切り欠き部
１８，１９    筋交い
２０，２１    横枠材
２２    開口部
【図１】
2004150199.tif 000003